(57)【要約】【課題】尿素水タンクが最適な位置にレイアウトされたＳＣＲ搭載のラフテレーンクレーンの提供。【解決手段】このラフテレーンクレーン１０は、ディーゼルエンジン２０に隣接して排気浄化装置３０が搭載されている。排気浄化装置３０は尿素水タンク５０を備え、車体後部にレイアウトされている。尿素水タンク５０は、リヤアクスル１５よりも後方且つリヤアウトリガ１９よりも前方に配置されている。尿素水タンク５０は、下部フレーム１３及びリヤアウトリガ１９のケース２９に添って配置されている。尿素水タンク５０は、後輪マッドガード５２と上記ケース２９との間に配置されている。尿素水タンク５０は、ＤＲＴ３２の下方に配置されている。ＳＣＲ３２は、尿素水タンク５０の庇を形成している。【選択図】図４
2015009939.tif 000002
【特許請求の範囲】
【請求項１】
フロントアクスル及びリヤアクスルを有する下部走行体と、当該下部走行体の上部に配置されたブーム装置と、走行及び油圧アクチュエータを介したブーム操作を行う単一の操縦部とを有し、上記下部走行体は、下部フレームと、当該下部フレームの前端下側及び後端下側に配置されたフロントアウトリガ及びリヤアウトリガと、上記下部フレームの後端部上側に配置され、上記各アクスルを駆動し且つ上記油圧アクチュエータに油圧を供給するエンジンとを有するラフテレーンクレーンであって、
還元剤が貯留された還元剤タンク及び還元剤供給装置並びに当該還元剤供給装置の下流に配置された選択的触媒還元装置を有する排気浄化装置が搭載され、
上記還元剤タンクは、
上記リヤアクスルよりも後方で上記リヤアウトリガよりも前方であり、且つ上記下部フレーム及び上記リヤアウトリガのケースに添う位置に配置されているラフテレーンクレーン。
【請求項２】
上記還元剤タンクは、上記リヤアクスルの近傍に設けられたマッドガードと上記リヤアウトリガのケースとの間に配置されている請求項１に記載のラフテレーンクレーン。
【請求項３】
上記還元剤タンクは、上記還元剤供給装置の下方に配置されている請求項１又は２に記載のラフテレーンクレーン。
【請求項４】
上記還元剤タンクは、上記選択的触媒還元装置の下方に配置されている請求項１から３のいずれかに記載のラフテレーンクレーン。
【発明の詳細な説明】
【技術分野】
【０００１】
この発明は、選択還元型触媒装置（Selective Catalytic Reduction：以下、「ＳＣＲ」と称す。）を搭載したラフテレーンクレーンに関し、詳細には、ＳＣＲの構成要素としての尿素タンクのレイアウトに関するものである。
【背景技術】
【０００２】
ディーゼルエンジンの排気中には、粒子状物質（Particulate Matter、以下、「ＰＭ」と称す。）や窒素酸化物（以下、ＮＯｘという）等が含まれており、大気汚染を防止するためにこれらの物質が大気中に放出されることを防ぐ排気浄化装置が従来から開発されている。この排気浄化装置は、ＰＭを捕集するためのディーゼル微粒子捕集フィルタ装置（Diesel Particulate Filter：以下、「ＤＰＦ」と称す。）、ＮＯｘを除去するための酸化触媒装置（Diesel Oxidation Catalyst：以下、「ＤＯＣ」と称す。）、還元剤供給装置（Decomposition Reactor Tube：以下、「ＤＲＴ」と称される。）及び選択還元型触媒装置（Selective Catalytic Reduction：以下、「ＳＣＲ」と称す。）を構成要素として含み、これらが組み合わされることにより所要の排気浄化装置が構成される。
【０００３】
ディーゼルエンジンは様々な車両に搭載されるが、車両の種類にかかわらず排気浄化処理の必要性は近年ますます向上しており、乗用車、トラック、クローラ式建設機械等にもＳＣＲが採用されている。そして、ＳＣＲによる排気浄化処理では尿素水が使用されるから、車両には尿素水を備蓄しておく尿素水タンクが架装される（たとえば特許文献１及び特許文献２参照）。
【先行技術文献】
【特許文献】
【０００４】
【特許文献１】特許第４８５１３７０号公報
【特許文献２】特許第５０５４６１３号公報
【発明の概要】
【発明が解決しようとする課題】
【０００５】
ところで、ラフテレーンクレーンは、一般的に四輪駆動且つ四輪操舵可能な２軸走行装置を備え、単一の運転席から車両走行とクレーン操作が可能なクレーン車両であり、優れた小回り性及び不整地走行性を発揮する。ラフテレーンクレーンは、このような特殊性能（メリット）を発揮するためにコンパクト設計がなされていることが特徴であり、ボディの車体全長長さが短く設定されると共に当該ボディの後方にエンジンが配置され、しかもクレーン操作がすべて油圧により制御される。
【０００６】
ラフテレーンクレーンが上記性能を発揮するためには、上記排気浄化装置が搭載される場合において、ボディの全長、全幅についてサイズアップが回避されなければならず、しかも、走行時と同じ運転席からクレーン操作・走行する際の視認性や視界確保も要請される。具体的には、たとえば排気浄化装置の構成要素である尿素水タンクがシャシーまわりの空いている空間に単純に配置されると、尿素水配管が無駄に長くなってしまったり、尿素水タンクへの尿素充填作業が困難になってしまったりするおそれがある等、種々の問題が生じる得る。したがって、尿素水タンクのレイアウトは、特別の工夫が要求される。
【０００７】
本発明はかかる背景のもとになされたものであって、コンパクトなボディで優れた小回り性及び不整地走行性を発揮すると共にクレーン操作・走行において優れた視認性ないし良好な視界が確保されつつ、尿素水タンクが最適位置にレイアウトされたＳＣＲ搭載のラフテレーンクレーンを提供することである。
【課題を解決するための手段】
【０００８】
(1) 上記目的が達成されるため、本発明に係るラフテレーンクレーンは、フロントアクスル及びリヤアクスルを有する下部走行体と、当該下部走行体の上部に配置されたブーム装置と、走行及び油圧アクチュエータを介したブーム操作を行う単一の操縦部とを有し、上記下部走行体は、下部フレームと、当該下部フレームの前端下側及び後端下側に配置されたフロントアウトリガ及びリヤアウトリガと、上記下部フレームの後端部上側に配置され、上記各アクスルを駆動し且つ上記油圧アクチュエータに油圧を供給するエンジンとを有し、還元剤が貯留された還元剤タンク及び還元剤供給装置並びに当該還元剤供給装置の下流に配置された選択的触媒還元装置を有する排気浄化装置が搭載されている。このラフテレーンクレーンでは、上記還元剤タンクは、上記リヤアクスルよりも後方で上記リヤアウトリガよりも前方であり、且つ上記下部フレーム及び上記リヤアウトリガのケースに添う位置に配置されている。
【０００９】
この発明では、上記排気浄化装置が搭載されているので、当該ラフテレーンクレーンの排気が浄化され、近年の厳しい排気ガス規制をクリヤすることが可能である。上記排気浄化装置に含まれる還元剤タンクが上記位置に配置されることにより、上記下部走行体の全長及び全幅が増大することなく、還元剤タンクはコンパクトに取り付けられる。しかも、上記還元剤タンクは、車体側面の外方を臨む位置に配置されることになるから、還元剤の注入作業も容易になる。さらに、排気系からの輻射熱の影響も抑えられる。
【００１０】
(2) 上記還元剤タンクは、上記リヤアクスルの近傍に設けられたマッドガードと上記リヤアウトリガのケースとの間に配置されているのが好ましい。
【００１１】
この構成では、後輪タイヤからのいわゆる飛び石から還元剤タンクが保護されるという利点がある。
【００１２】
(3) 上記還元剤タンクは、上記還元剤供給装置の下方に配置されているのが好ましい。
【００１３】
この構成では、上記還元剤タンクが上記還元剤供給装置の近傍に配置されることになる。したがって、還元剤を送給する配管が簡単である。また、上記還元剤供給装置は、一般に上記エンジンの近傍に配置されるから、上記還元剤タンクは、エンジン冷却装置（ラジエター）の近傍に位置することになる。したがって、たとえば寒冷地において還元剤の凍結を防止したりあるいは凍結した還元剤を解凍する場合においては、上記ラジエター内の冷却水が利用されるが、この冷却水を上記還元剤タンクに循環させるための配管も簡単になるという利点もある。
【００１４】
(4) 上記還元剤タンクは、上記選択的触媒還元装置の下方に配置されているのが好ましい。
【００１５】
この構成では、選択的触媒還元装置が還元剤タンクに対して庇を形成する。このため、還元剤タンクへの直射日光の影響が抑えられる。つまり、たとえば還元剤として尿素水が採用された場合であっても、タンク内での還元剤の劣化が抑えられる。また、還元剤タンクへの直射日光の影響が抑えられる結果、還元剤タンクが樹脂により成形されたとしても当該還元剤タンクの紫外線による劣化も防止される。加えて、還元剤タンクは、上記下部フレーム、リヤアウトリガのケース、リヤアクスル、選択的触媒還元装置により囲繞されるから、走行時や停車時に外気が還元剤タンクに直接吹き付けられることが防止される。これにより、寒冷地において還元剤の凍結が防止されると共に仮に凍結したとしても解凍が容易である。
【発明の効果】
【００１６】
この発明によれば、ラフテレーンクレーンの小回り性及び不整地走行性並びにクレーン操作における良好な視認性ないし視界が犠牲にされることなく、還元剤タンクが最適位置にレイアウトされた選択的触媒還元装置の搭載が可能である。
【図面の簡単な説明】
【００１７】
【図１】図１は、本発明の一実施形態に係るラフテレーンクレーンの斜視図である。
【図２】図２は、本発明の一実施形態に係る排気浄化装置の斜視図である。
【図３】図３は、本発明の一実施形態に係る下部走行体の要部拡大背面図である。
【図４】図４は、本発明の一実施形態に係るラフテレーンクレーンの要部拡大側面図である。
【発明を実施するための形態】
【００１８】
以下、本発明の好ましい実施形態が、適宜図面が参照されつつ説明される。なお、本実施の形態は、本発明に係るラフテレーンクレーンの一態様にすぎず、本発明の要旨を変更しない範囲で実施態様が変更されてもよいことは言うまでもない。
【００１９】
［全体構成と特徴点］
【００２０】
図１は、本発明の一実施形態に係るラフテレーンクレーン１０の斜視図である。
【００２１】
このラフテレーンクレーン１０は、下部走行体１１及び上部作業体１２とを有する。
【００２２】
下部走行体１１は、下部フレーム１３を有し、この下部フレーム１３にフロントアクスル１４及びリヤアクスル１５が設けられている。このフロントアクスル１４及びリヤアクスル１５の駆動源となるディーゼルエンジン２０が下部フレーム１３の後端部に搭載されている。フロントアクスル１４及びリヤアクスル１５の車輪１６、１７は、図示されていないトランスミッションを介して駆動され、且つ図示されていない油圧シリンダにより操舵される。また、下部フレーム１３の前端下部及び後端下部にそれぞれフロントアウトリガ１８及びリヤアウトリガ１９が装備されており、上部作業体１２の稼働時に下部走行体１１が安定して接地される。なお、図面の簡素化のためにフロントアウトリガ１８及びリヤアウトリガ１９の一部が省略されており、これらの図では、ケース２９のみが図示されている。さらに、上記油圧モータや上部作業体１２へ油圧を供給する油圧ポンプ（不図示）が下部フレーム１３に設けられている。なお、ディーゼルエンジン２０は、図示されていないエンジン本体及びこれを覆うエンジンカバーとを備えており、本実施形態では、エンジンカバーをも含めてディーゼルエンジン２０と称される。
【００２３】
上部作業体１２は下部フレーム１３を備え、この下部フレーム１３に旋回ベアリング２１を介して旋回台２２が旋回可能に搭載されている。ブーム装置２３が起伏中心ピンを介して旋回台２２に連結されており、このブーム装置２３は、起伏中心ピンによって起伏可能に支持されている。伸縮ブーム２４は、図示されていない伸縮シリンダを内蔵しており、これが作動されることにより伸縮する。ブーム装置２３は、油圧モータで駆動されるウインチ２７を備えており、このウインチ２７が作動することによりワークが昇降される。なお、上部作業体１２の安定した作業のために、旋回台２２の後部にカウンタウエイト２８が設けられている。また、下部走行体１１の運転及び上部作業体１２の操作を行うための単一の操縦部２６が、旋回ベアリング２１を介して設けられている。
【００２４】
本実施形態に係るラフテレーン１０の特徴とするところは、ディーゼルエンジン２０に隣接して後に詳述される排気浄化装置３０が搭載されており、当該排気浄化装置３０に含まれる尿素水タンク５０（特許請求の範囲に記載された「還元剤タンク」に相当）が後述のようにレイアウトされている点である。これにより、ラフテレーンクレーン１０の小回り性及び不整地走行性並びにクレーン操作における良好な視認性ないし視界が犠牲にされることなく、排気浄化装置３０がラフテレーンクレーン１０に搭載されている。
【００２５】
［排気浄化装置］
【００２６】
排気浄化装置３０は、ディーゼルエンジン２０から排出される排気ガスの供給を受け、これを浄化する装置である。排気浄化装置３０は、車両後方から見て左側に配置されており、本実施形態では、排気浄化装置３０にカバー３４が設けられている。このカバー３４は、排気浄化装置３０が雨や塵に晒されることを防止する。
【００２７】
図２は、排気浄化装置３０の斜視図である。また、図３は、下部走行体１１の要部拡大背面図である。図２及び図３は、上記カバー３４が取り外された状態を示している。また、これらの図は、排気浄化装置３０のレイアウトを示すものであり、排気浄化装置３０を固定するためのブラケット等の図示は省略されている。
【００２８】
排気浄化装置３０は、酸化触媒装置（以下、「ＤＯＣ」と称される。）３１と、所定の還元剤（本実施形態では尿素水）を貯留した尿素水タンク５０と、尿素水を介して排気中の酸化窒素を還元する選択的触媒還元装置（以下、「ＳＣＲ」と称される。）３２と、このＳＣＲ３２に上記尿素水を供給する還元剤供給装置（以下、「ＤＲＴ」と称される。）３３とを備えている。
【００２９】
上記リヤアウトリガ１９のケース２９にサポート部材３５が設けられている。このサポート部材３５は、上記ケース２９を補強するリブからなり、上記ケース２９及び下部フレーム１３に固定されている。サポート部材３５は中央部で屈曲された形状であり、上記ケース２９と下部フレーム１３の側面との間に掛け渡すように配置されている。このため、サポート部材３５の上面３６は、下部フレーム１３の側面から外方に向けて斜め下方に傾斜している。
【００３０】
ディーゼルエンジン２０からの排気は、まずＤＯＣ３１に供給され、順次ＤＲＴ３３及びＳＣＲ３２を通過して排気ガスとしてマフラー３７から大気へと排出される。なお、本実施形態では、このマフラー３７は、上記排気ガスが排出される際の音を低減するもの（いわゆる消音装置）であって、ＳＣＲ３２あるいはその一部を示すものではない。
【００３１】
ＤＯＣ３１は、ディーゼルエンジン２０のエキゾーストパイプ３８に接続されている。ＤＯＣ３１の構造は既知であって、ＤＯＣ３１は、排気中に含まれる未燃燃料（ＨＣ等）や一酸化炭素（ＣＯ）の処理、及び排気中の一酸化窒素（ＮＯ）を二酸化窒素（ＮＯ２）に酸化することを主目的としている。このＤＯＣ３１は、排気温度の上昇に伴い、ＣＯを二酸化炭素（ＣＯ２）に酸化し、ＨＣを燃焼する機能を有している。本実施形態では、ＤＯＣ３１はケーシングを備えており、このケーシングの外形形状は円柱状である。ＤＯＣ３１の中心軸線は、車両の前後方向すなわち下部フレーム１３の長手方向３９に沿っている。ＤＯＣ３１の後端４０は、ディーゼルエンジン２０の後端４１よりも前方側に配置されている。つまり、ＤＯＣ３１がディーゼルエンジン２０の後端４１から後方に突出することはない。上記エキゾーストパイプ３８から出た排気は、ＤＯＣ３１を上記長手方向前方へ流れる。
【００３２】
ＳＣＲ３２は、排気中に還元剤を供給して窒素酸化物（ＮＯＸ）を還元し、最終的に排気を窒素（Ｎ２）と水（Ｈ２Ｏ）の混合気に変換して大気中に放出する装置である。本実施形態では、ＤＲＴ３３は、排気中のＮＯＸを還元するために尿素水を供給する。ＤＲＴ３３が排気中に尿素水を噴射すると、加水分解されてアンモニア（ＮＨ３）が生成され、このＮＨ３によってＮＯＸが還元される。なお、ＳＣＲ３２の構造及びＤＲＴ３３の構造も既知である。
【００３３】
本実施形態では、ＤＲＴ３３は、円筒状パイプ４２と、これに連続された供給バルブ４３とを備えており、上記尿素水タンク５０から尿素水を導入する。供給バルブ４３は、尿素水タンク５０に所要の配管を介して接続されており、所定の圧力で尿素水を上記円筒状パイプ４２内に噴射する。このＤＲＴ３３は、ＤＯＣ３１と直列に配置されている。すなわち、ＤＲＴ３３の中心軸線がＤＯＣ３１の中心軸線と一致しており、ＤＲＴ３３は、ＤＯＣ３１の上記長手方向３９の前側に配置され且つ前方に延びている。ＤＯＣ３１を通過した排気は、上記長手方向３９に沿って流れてＤＲＴ３３の円筒状パイプ４２に流入し、上記供給バルブ４３から尿素水の供給を受ける。
【００３４】
ＳＣＲ３２はケーシングを備えており、その外形形状は円柱状に形成されている。ＳＣＲ３２の中心軸線は、上記長手方向３９に沿っている。本実施形態では、ＳＣＲ３２は、ＤＯＣ３１と並列配置されており、両者を略Ｕ字状に形成された連結パイプ４４が連結している。ＤＲＴ３２を通過した排気は、連結パイプ４４に進入し、ＵターンしてＳＣＲ３２に流入する。このＳＣＲ３２では、前述のように排気が浄化され、Ｎ２及びＨ２Ｏとして排出される。
【００３５】
図３が示すように、ＳＣＲ３２は、ＤＯＣ３１よりも上方に配置され、且つ下部フレーム１３の短手方向４５に沿って並設されている。すなわち、ＳＣＲ３２の中心軸線とＤＯＣ３１の中心軸線とが平行であり、ＳＣＲ３２とＤＯＣ３１とは上記短手方向４５に向かい合っている。しかも、ＳＣＲ３２とＤＯＣ３１とは、上記サポート部材３５の上方に配置されている。特に、本実施形態では、ＳＣＲ３２は、ＤＯＣ３１よりもディーゼルエンジン２０側に偏った位置に配置されており、両者は、上記サポート部材３５の上面３６に沿うように配置されている。
【００３６】
［尿素水タンク］
【００３７】
図４は、ラフテレーンクレーン１０の要部拡大側面図であって尿素水タンク５０のレイアウトを示している。（ａ）は正面図、（ｂ）は側面図である。
【００３８】
尿素水タンク５０は、一般的に尿素水に対して耐食性が高く、耐候性及び耐衝撃性に優れた樹脂やステンレス等の材料で形成される。尿素水タンク５０の形状は特に限定されるものではないが、本実施形態では直方体状に形成されている。
【００３９】
同図が示すように、尿素水タンク５０は、リヤアクスル１５よりも後方であって、且つリヤアウトリガ１９よりも前方に配置されている。より具体的には、尿素水タンク５０は、後輪マッドガード５２の後方に配置されている。尿素水タンク５０は、ブラケット５１を介してリヤアウトリガ１９のケース２９に支持されている。すなわち、尿素水タンク５０の側面が上記ケース２９に沿って配置され、尿素水タンク５０の背面が下部フレーム１３に沿って配置されている。本実施形態では、下部フレーム１３と尿素水タンク５０とは間に所定の隙間が形成されているが、尿素水タンク５０が下部フレーム１３に近接していてもよい。
【００４０】
また、本実施形態では、尿素水タンク５０は、上記ＤＲＴ３３の下方に配置されている。つまり、上記ＤＲＴ３３及びＳＣＲ３２の近傍に尿素水タンク５０が配置されている。しかも、本実施形態では、尿素水タンク５０は、ＳＣＲ３２の下方に配置され、当該ＳＣＲ３２が庇を形成している。
【００４１】
［排気浄化装置による作用効果］
【００４２】
このラフテレーンクレーン１０は排気浄化装置３０を搭載しているので、ラフテレーンクレーン１０の排気が浄化され、近年の厳しい排気ガス規制をクリヤすることが可能である。排気浄化装置３０に含まれる尿素水タンク５０は、図４が示す位置に配置されていることから、尿素水タンク５０が車体側面の奥まった位置、すなわち車体側面の外方を臨む位置に配置されることになる。これにより、尿素水タンク５０への尿素水の注入作業が容易である。また、ディーゼルエンジン２０の排気系からの輻射熱の影響が抑えられ、タンク内での尿素水の劣化が抑えられる。しかも、尿素水タンク５０が前述のようにコンパクトに配置されることにより、下部走行体１１の全長及び全幅が増大することなく、ラフテレーンクレーン１０のメリットが犠牲になることはない。
【００４３】
特に、尿素水タンク５０が後輪マッドガード５２とリヤアウトリガ１９のケース２９との間に配置されているので、車輪１７（特許請求の範囲に記載された「後輪タイヤ」に相当）からの飛び石から尿素水タンク５０が保護されるという利点がある。
【００４４】
さらに、尿素水タンク５０が前述のようにＳＣＲ３２及びＤＲＴ３３の近傍に配置されるので、尿素水を送給する配管が簡単になる。加えて、ＳＣＲ３２が尿素水タンク５０に対して庇を形成しており、尿素水タンク５０は、直射日光が遮られる。これにより、尿素水の品質劣化が抑えられる。加えて、尿素水タンク５０が樹脂から構成される場合であっても、尿素水タンク５０の紫外線劣化が抑制される。しかも、尿素水タンク５０は、下部フレーム１３、リヤアウトリガ１９のケース２９、車輪１７、ＳＣＲ３２により囲繞される位置に配置されることになるから、走行時や停車時に外気が尿素水タンク５０直接吹き付けられることがない。その結果、冬期において尿素水の凍結が防止される。また、仮に尿素水が凍結したとしても解凍が容易である。
【００４５】
本実施形態では、尿素水タンク５０は図４が示す位置に配置されているが、当該位置に限定されるものではない。たとえば、尿素水の送給配管が多少複雑になることが許容されるならば、尿素水タンク５０が車両の右側、すなわちディーゼルエンジン２０のマフラーが設けられていない側に配置されてもよい。また、尿素水タンク５０は、フロントアクスル１４とリヤアクスル１５との間のスペースに配置されてもよい。要するに、尿素水の注入作業が容易であり、且つ排気系からの輻射熱の影響が抑えられる位置であれば、他の部位に尿素水タンク５０が配置されてもよい。
【００４６】
［付加的作用効果］
【００４７】
本実施形態では、図２が示すように、ＤＯＣ３１とＤＲＴ３３とが直列配置されると共にＤＯＣ３１とＳＣＲ３２とが並列配置されており、排気浄化装置３０が下部フレーム１３にコンパクトにレイアウトされている。このため、前述のように排気浄化装置３０がディーゼルエンジン２０の後端４１よりも後方に突出することがなく、ラフテレーン１０の長手方向３９（車両全長方向）の寸法の増大が防止される。しかも、ＤＯＣ３１、ＳＣＲ３２及びＤＲＴ３３のすべてが並列配置ではなく、ＤＯＣ３１とＳＣＲ３２のみが並列に配されることにより、図３が示すように、排気浄化装置３０は、リヤアウトリガ１９の外縁よりも外側に突出することがなく、ラフテレーンクレーン１０の短手方向（車幅方向）の寸法の増大も防止される。
【００４８】
さらに、ＤＯＣ３１とＳＣＲ３２とが上下に配置され、これらがリヤアウトリガ１９の上方で且つディーゼルエンジン２０に隣接した位置に配置されることから、排気浄化装置３０は、車両の後端部の左端あるいは右端の空間を有効に利用してきわめてコンパクトに配置されている。したがって、たとえばクレーン作業時にブーム装置２３が旋回される場合であっても、作業者にとって排気浄化装置３０が視界を遮る領域（いわゆる死角）が拡大することもない。加えて、ＤＯＣ３１が上記エキゾーストパイプ３８と近接する位置に配置されることになるから、ディーゼルエンジン２０及び排気浄化装置３０間の排気配管も簡単になるという利点がある。
【００４９】
なお、本実施形態では、ＤＯＣ３１とＤＲＴ３３とが直列配置されているが、ＤＲＴ３３とＳＣＲ３２とが直列配置されていてもよい。もっとも、この場合であってもＤＯＣ３１とＳＣＲ３２とは並列配置される。
【００５０】
本実施形態では、図３が示すように、ＳＣＲ３２がＤＯＣ３１よりもディーゼルエンジン２０側の位置に配置されている。つまり、ＳＣＲ３２は、より車両中央側にシフトされており、ディーゼルエンジン２０に近接した位置に配置されている。したがって、リヤアウトリガ１９の上方のスペースをより有効に利用したレイアウトが実現され、排気浄化処理の経路（配管）をより簡略することができるという利点もある。
【００５１】
また、本実施形態では、上記サポート部材３５が下部フレーム１３とリヤアウトリガ１９のケース２９とを連結する補強リブからなる。このサポート部材３５の上面３６は、下部フレーム１３から上記ケース２９に向かって傾斜しており、ＤＯＣ３１及びＳＣＲ３２が、この上面３６に沿って配置されている。つまり、ＤＯＣ３１及びＳＣＲ３２がディーゼルエンジン２０の側部のスペースに一層効率的に配置され、コンパクトなレイアウトが実現されている。なお、上記実施形態では、ラフテレーンクレーン１０がいわゆるＨ型のリヤアウトリガ１９を備えているが、これに代えて、いわゆるＸ型のアウトリガが装備されていてもよいことは言うまでもない。
【符号の説明】
【００５２】
１０・・・ラフテレーンクレーン
１１・・・下部走行体
１２・・・上部作業体
１３・・・下部フレーム
１４・・・フロントアクスル
１５・・・リヤアクスル
１９・・・リヤアウトリガ
２０・・・ディーゼルエンジン
３０・・・排気浄化装置
３１・・・ＤＯＣ
３２・・・ＳＣＲ
３３・・・ＤＲＴ
５０・・・尿素水タンク
５１・・・ブラケット
５２・・・後輪マッドガード
【図１】
2015009939.tif 000003
【図２】
2015009939.tif 000004
【図３】
2015009939.tif 000005
【図４】
2015009939.tif 000006